(57)【要約】極低温液体膨張タービンは、回転シャフト（８）に取り付けられているタービンホイール（６）と、回転シャフトのための膨張タービン（２０、２２）中に膨張させる極低温液体のための少なくとも１つの半径方向入口（１２）と、回転シャフト（８）に沿ったタービンホイール（６）と軸受（２０及び２２）の間の位置の乾性ガス封止手段（３０）と、を有している。タービンホイール（６）と乾性ガス封止手段（３０）の間に熱的バリア部材（７０）が設けられ、熱的バリア部材（７０）の前記乾性ガス封止手段（３０）側にガス室（７６）が設けられ、当該ガス室（７６）への極低温ガスのための入口（７８）が設けられている。【選択図】図１
2014530984.tif 000002
【特許請求の範囲】
【請求項１】
極低温液体膨張タービンであって、回転シャフトに取り付けられているタービンホイールと、当該膨張タービン中に膨張させる極低温液体のための少なくとも１つの半径方向入口と、前記回転シャフトのための少なくとも１つの軸受と、前記回転シャフトに沿った前記タービンホイールと前記軸受の間の位置の乾性ガス封止手段と、を有する極低温液体膨張タービンにおいて、前記タービンホイールと前記乾性ガス封止手段の間に熱的バリア部材が設けられ、前記熱的バリア部材の前記乾性ガス封止手段側にガス室が設けられ、前記ガス室への極低温ガスのための入口が設けられている、ことを特徴とする極低温液体膨張タービン。
【請求項２】
前記乾性ガス封止手段は、前記極低温ガスのための入口に加え、乾性非極低温ガスのための入口を有している、請求項１に記載の極低温液体タービン。
【請求項３】
前記タービンホイールは、前記極低温液体がその膨張中にフラッシュするのを許容するように適合されている、請求項１又は２に記載の極抵抗液体タービン。
【請求項４】
前記タービンホイールはスカラップ状をしている、請求項３に記載の極低温液体タービン。
【請求項５】
前記ガス室は、前記タービンホイールへの極低温ガスのための第１出口を有している、上記請求項の何れか１項に記載の極低温液体タービン。
【請求項６】
前記第１出口は、第１ラビリンスシールを通っている、請求項５に記載の極低温液体タービン。
【請求項７】
前記ガス室は、第２ラビリンスシールを介して前記乾性ガス封止手段と連通する、極低温ガスのための第２出口を有している、上記請求項の何れか１項に記載の極低温液体タービン。
【請求項８】
前記乾性ガス封止手段は、乾性ガスシールである、上記請求項の何れか１項に記載の極低温液体タービン。
【請求項９】
前記乾性ガス封止手段は、タンデム型乾性ガスシールである、請求項８に記載の極低温液体タービン。
【請求項１０】
前記乾性ガス封止手段は、単一型乾性ガスシールである、請求項８に記載の極低温液体タービン。
【請求項１１】
フレア又は外部雰囲気又はガス回収手段と連通する、前記乾性ガス封止手段からの第１脱気孔が設けられている、上記請求項の何れか１項に記載の極低温液体タービン。
【請求項１２】
外部雰囲気と連通する、前記乾性ガス封止手段からの第２脱気孔が設けられている、請求項１１に記載の極低温液体タービン。
【請求項１３】
前記軸受はオイル軸受であり、前記乾性ガス封止手段は、複数の軸方向に離間されたカーボンリングを備える更なるシャフト封止手段によってオイル蒸気から防護されている、上記請求項の何れか１項に記載の極低温液体タービン。
【請求項１４】
前記軸受はオイル軸受又はガス軸受である、上記請求項の何れか１項に記載の極低温液体タービン。
【請求項１５】
前記カーボンリング間の空間は乾性非極低温ガスの供給源と連通している、請求項１３に記載の極低温液体タービン。
【請求項１６】
発電機又は制動手段へ連結されているものとしての、上記請求項の何れか１項に記載の極低温液体タービン。
【請求項１７】
上記請求項の何れか１項に記載の極低温液体タービンを動作させる方法において、前記極低温液体の一部を気化させて前記極低温ガスを形成している、方法。
【請求項１８】
５バールから１０バールの範囲の圧力が前記ガス室中に維持されている、請求項１７に記載の方法。
【請求項１９】
前記極低温ガスの温度は、前記ガス室中に単一の気相を維持するように調整されている、請求項１８に記載の方法。
【請求項２０】
前記極低温液体は、天然ガス、液体窒素、又は液体空気である、請求項１７から１９の何れか１項に記載の方法。
【請求項２１】
前記極低温ガスの少なくとも９０％が前記タービンホイールへと前記ガス室を出てゆく、請求項１７から２０の何れか１項に記載の方法。
【発明の詳細な説明】
【技術分野】
【０００１】
本発明は、極低温液体膨張タービンに関する。
【背景技術】
【０００２】
極低温液体タービンは、極低温工学の技術分野では、或る種の状況でのジュールトムソン弁の代替物又は補助物として知られている。
タービンは極低温の温度で作動しているとしても、機械は典型的には雰囲気温度又はそれより上で作動する軸方向配置の構成要素、具体的にはタービンホイールが取り付けられている回転シャフトを支持するための単数又は複数の軸受、を有している。理論上、熱力学的に最も効率のよい極低温液体膨張タービンは半径方向流体流入を採用しているタービン類である。但し実用上は、フラッシュの結果として、又は極低温の温度にある部品とより高い温度にある部品の間の軸受の速やかで適切な封止を実現し損ねた結果として、望ましからざる熱の流れ又は第２気相の形成の様な影響が出る傾向があり、膨張タービンの代替形態又はジュールトムソン弁が半径方向吸込液体膨張タービンの代わりに選定される事態を招いている。
【発明の概要】
【０００３】
本発明により、極低温液体膨張タービンであって、回転シャフトに取り付けられているタービンホイールと、膨張タービン中に膨張させる極低温液体のための少なくとも１つの半径方向入口と、回転シャフトのための少なくとも１つの軸受と、回転シャフトに沿ったタービンホイールと当該軸受の間の位置の乾性ガス封止手段と、を有する極低温液体膨張タービンにおいて、タービンホイールと乾性ガス封止手段の間に熱的バリア部材が設けられ、熱的バリア部材の乾性ガス封止手段側にガス室が設けられ、当該ガス室への極低温ガスのための入口が設けられている、ことを特徴とする極低温液体膨張タービンが提供されている。
【０００４】
乾性ガス封止手段は、典型的には、前記極低温ガスのための入口に加え、乾性非極低温ガスのための入口を有している。
タービンホイールは、極低温液体がその膨張中にフラッシュするのを許容するように適合されていてもよい。
【０００５】
本発明によるフラッシュ式極低温液体タービンでは、タービンホイールの前方面は典型的にはスカラップ状をしている。タービンホイールのその様な構成は、ホイールへの液体摩擦を低減するものと確信される。
【０００６】
ガス室は、典型的には、タービンホイールへの極低温ガスのための第１出口を有している。
当該第１出口は、典型的には、ガスの流通が制限されるように第１ラビリンスシールを通っている。
【０００７】
ガス室は、典型的には、更に、第２ラビリンス状シールを介して乾性ガス封止手段と連通する、極低温ガスのための第２出口を有している。
乾性ガス封止手段は、典型的には、乾性ガスシールであり、例えば単一型乾性ガスシール又はタンデム型乾性ガスシールである。
【０００８】
典型的には、フレアと連通する、乾性ガス封止手段からの第１脱気孔が設けられている。代わりに、第１脱気孔は、外部雰囲気又はガス回収手段と連通していてもよい。加えて、外部雰囲気と連通する、乾性ガス封止手段からの第２脱気孔が設けられていてもよい。
【０００９】
１つの好適な実施形態では、軸受はオイル軸受であり、乾性ガス封止手段は、複数の軸方向に離間されたカーボンリングを備える更なるシャフト封止手段によってオイル蒸気から防護されている。当該カーボンリング間の空間は、典型的には、乾性非極低温ガスの供給源と連通している。他の実施形態では、軸受はガス軸受又は磁気軸受である。
【００１０】
本発明による極低温液体タービンは、発電機又は機械式ブレーキへ連結されていてもよい。機械式ブレーキは、何らかの都合のよい形態とすることができ、例えばコンプレッサホイール又はオイルブレーキとすることができる。
【００１１】
本発明は、更に、前記極低温液体タービンを動作させる方法を提供しており、本方法では、極低温液体の一部を気化させて前記極低温ガスを形成している。
典型的には５バールから１０バールの範囲の圧力がガス室中に維持されている。
【００１２】
極低温液体は、典型的には、天然ガスであるが、代わりに、液体窒素又は液体空気の様な別の極低温液体とすることもできる。
極低温液体が天然ガスである場合は、マイナス１００℃からマイナス１５０℃の範囲の温度が、典型的に、ガス室中に維持されている。温度は、室の作動圧力で室中の流体が完全にガス状になる最小値又は当該最小値より僅かに上になるように調整されていてもよい。
【００１３】
典型的には、前記極低温ガスの少なくとも９０％がタービンホイールへとガス室を出てゆく。
これより、本発明による極低温液体膨張タービンを、一例として、添付図面を参照しながら説明してゆく。
【００１４】
図面は縮尺合わせされていない。
【図面の簡単な説明】
【００１５】
【図１】本発明によるフラッシュ式極低温液体膨張タービンの部分断面概略側面図である。
【図２】図１に示されているタービンの封止部配列のより詳細な図である。
【図３】図１及び図２に示されているタービンのタービンホイールの概略斜視図である。
【発明を実施するための形態】
【００１６】
図１を参照すると、液体の一部を蒸気にフラッシュさせながら作動している極低温液体膨張タービンが示されている。タービンは、拡張させる極低温液体の供給源（図示せず）と連通する配管（図示せず）へ接続されている入口フランジ２を有している。タービンは、更に、膨張させた極低温流体をタービンから追い出すように出口管（図示せず）へ接続されている出口フランジ４を有している。
【００１７】
膨張タービンは、回転シャフト８の一端へ取り付けられているタービンホイール６を有している。シャフト８の他端には連結部１０が取り付けられており、連結部を通して、タービンは例えば発電機（図示せず）へ例えば連結されていよう。膨張性極低温液体は、タービンホイールにシャフトを高回転速度で回転させるように仕向けるものであって、例えば電気を発生させることによって実際に仕事をすることができる。膨張タービンは、極低温液体の流れを加速して膨張させるために、当技術ではよく知られている方式の入口案内羽根によって画定されている一連の半径方向入口１２を有している。作動時、入口１２からの液体の流れは、タービンホイール６の前方回転面１４に亘って膨張し、面１４と静止囲い板１６の間に画定されているチャネルを通過して、出口フランジ４と連通する静止拡散部１８に至る。入口案内羽根は、従来の方式で空気式アクチュエータ（図示せず）によってレバーシステム（図示せず）を介して動作させるようになっていてもよい。
【００１８】
作動時、タービンホイール６の前方面１４の上へ流れて来る極低温の液体はフラッシュさせられる。（前方面とはタービンの出口の側に在る面である。）液体は、飽和液線の圧力より下の圧力まで急速に膨張されるのでフラッシュする。フラッシュ式液体タービンは、液体をより低い圧力へ膨張させることができるという利点を提供し、及び／又は入口での極低温液体の過冷却がフラッシュ無しの液体タービン膨張部よりも少なくてすむようになる。流体から機械へ抽出される仕事は、フラッシュがタービン内部で起こる場合には目立って増加する。ガス出口温度はより低くなり、より高いパワー回収が可能になる。例えば、発電機（図示せず）を設置し、パワーが発電機の端子に回収されるようにしてもよい。
【００１９】
典型的なタービンホイール６が図３に示されている。タービンホイールは、典型的には、従来の形態の静止ブレードを１６枚有している。タービンホイール６の面１４は、各対のブレード３００の間に溝３０２を有している。溝３０２は、タービンホイール６にスカラップ状の外見を与えている。スカラップ式は、使用中のタービンホイール６の共振及び疲れ破損のリスクを低減する。スカラップ式は、２つの相が存在する場合のタービンホイール６の機械的性能を強化し、更に、設計段階で、軸スラストの値を予測可能にする。
【００２０】
再度図１を参照して、オイル軸受が配置されている領域は図１に符号２３で示されている。この領域は、タービンホイール６と連結部１０の間の中間場所に位置する。シャフト８は、一対のオイル軸受（図示せず）と共に領域２３に提供されている。一方のオイル軸受は傾斜パッドオイル軸受である。傾斜パッドオイル軸受は、長い動作寿命を有するという利点を提供する。他方のオイル軸受はテーパ設置スラストオイル軸受である。傾斜パッドオイル軸受は半径方向の軸受であり、テーパ設置スラストオイル軸受は軸方向の軸受である。オイル（又は他の潤滑剤）が軸受に注入部通路２４を介し膨張タービンの外部の溜め（図示せず）から供給される。オイル注入部通路２４は、タービンのハウジング２８の一部を形成している軸受担持体６に形成されている。
【００２１】
ガスシールが配置されている領域は図１に符号２１で示されている。ガスシールは図２に示されている。図２を参照すると、タンデム型乾性ガスシール３０が、シャフト８の周りに配置されていて、タービンホイール６を軸受へ塗布されるオイル又は他の潤滑剤から絶縁している。そのため、オイル蒸気又は代わりの潤滑剤はシャフト８に沿って軸受からタービンホイール６の前方面１４へ渡ってゆくことができない。こうして、タンデム型乾性ガスシールは、機械の極低温部分（極低温液体を膨張させフラッシュさせる部分）を、オイルが軸受を潤滑する温暖部分から分離している。（オイル潤滑式の軸受を使用するのは必須ではない。）それらは、代わりに、ガス軸受又は磁気軸受とすることもできる。
【００２２】
乾性ガスシールは、噛み合い回転リングと静止している主リングを備える非接触乾式稼働機械式面シールである。作動時、回転リングの溝が流体力学的な力を生成して、静止リング（又はスリーブ）を回転リングから離れさせ、それにより、回転リングと静止リングの間にギャップを作り出す。このギャップには、窒素の様な非反応性の適したガスを充填することができる。シールの圧力が、タービンホイールへのオイル蒸気の移入を防ぐ。回転リングの溝は、ガスを内方へ溝無し部分に向けて方向付ける。図２では、個々のシール３６及び３８は基本的に互いに同一である。回転リング（溝は示されていない）はそれぞれ符号４０及び４２で指示されており、静止リングはそれぞれ符号３２及び３４で指示されている。シールガスは２つの異なった供給源から入来する。最初に、乾性ガス状窒素が約大気温度（例えば２０℃）で膨張タービンの外部の供給源（図示せず）からシール担持体ユニット４６の内部通路３３に沿って供給される。このガスは乾性ガスシール３８のための封止ガスを提供する。一部のガスはシールからシール担持体ユニット４６の別の通路４８を介して抜かれる。シール３８とは違い、乾性ガスシール３６は極低温ガスを採用している。当該ガスもまた、シール３６から、シール担持体ユニット４６の更に別の内部通路５０を介して抜かれる。通路５０は、抜かれた天然ガスが安全な方式で処分されるのを可能にする外部フレア（図示せず）と連通している。通路５０の上流で、天然ガスは、２つのシール３６と３８の中間のラビリンスシール５２を通って浸透してくる、乾性ガスシール３８からの窒素シールガスの一部によって希釈される。
【００２３】
タンデム型乾性ガスシール３０の他の部分は、基本的に従来通りの構成及び機能であり、ここでは説明されていない。
膨張タービンのシャフト８には、タンデム型乾性ガスシール３０とオイル軸受２０及び２２の間の位置に更なるガスシール５４が提供されている。更なるガスシール５４は、乾性ガスシール３０が失陥した場合に、極低温の温度で作動するタービン部分へのオイル蒸気の漏出を最小限に抑えることを意図したものである。更なるガスシールは、一対の軸方向に配置されているカーボンリング５６及び５８を備えている。リング５６と５８の間の半径方向空間は、典型的には約大気温度（例えば２０℃）の窒素を外部供給源（図示せず）と連通しているシール担持体の通路６０を介して送給される。少なくとも窒素の一部はガスシール５４から通路４８を介して抜かれるようになっていてもよい。
【００２４】
典型的には、オイル軸受はほぼ６０℃程度の温度で作動する。極低温ガスをタンデム型乾性ガスシール３０へ供給することにより、極低温タービンは相対的に高い温度の軸受から熱的に絶縁され、それにより、極低温タービンの効率的作動を実現させ易くなる。機械の極低温部分と非極低温部分の熱的分離は、本発明によれば、低熱伝導度の材料の環状体の形態をしている半径方向熱的バリア部材７０の存在によって強化される。熱的バリア部材７０は、ボルト７２又は類似部材によって、極低温乾性ガスシール３６のためのハウジング７４の部分へ固着されている。熱的バリア部材７０は、乾性ガスシール３６のための極低温ガスを通す室７６の壁を形成しており、極低温ガスは、外部供給源（図示せず）からシール担持体ユニット４６の別の内部通路７８を介して供給されている。熱的バリア部材７０の内面は、更なるラビリンス状シール（図示せず）を通じてシャフト８上のスリーブ８０の対応する面に係合する。室７６へ供給される極低温ガスにとって２つの出口経路が存在する配列になっている。一方は熱的バリア部材７０とスリーブ８０の間に提供されているラビリンス状シールを通ってタービンホイール６の背後に至る。この出口経路を取ったガスはタービンホイール６の外周を通り越し、タービンの作動によって、膨張させられる極低温液体に一体に加わる。他方の出口経路はラビリンスシール８２を通って極低温乾性ガスシール３６に至る。作動時、ガスシール３６の圧力は、室７６へ進入する極低温ガスの殆ど（典型的には約９５％）が熱的バリア部材７０とスリーブ８０の間に提供されているラビリンスシールを介してタービンホイール６へ渡ってゆくのに十分な高さに維持される。このガスがタービン中に膨張させるプロセス液の気化によって形成されている場合、タンデム型乾性ガスシール３０を通るプロセス液の蒸気の損失は低く抑えられる。典型的には、プロセス液は液化天然ガスであり、室７６中の温度は、作動中、マイナス１００℃からマイナス１５０℃の範囲の温度に維持可能である。典型的な例では、天然ガス蒸気は、ほぼマイナス１４５℃程度の温度で室７６へ供給されている。室７６からのガスの一部は、ラビリンスシール８２を通って極低温乾性ガスシール３６へ浸透してゆく。加圧下に室７６内へ導入されるプロセスガスの圧力及び温度は、乾性ガスシール面３６への損傷を回避するよう制御され露点より（僅かに）上に維持される。
【００２５】
熱的バリア部材の存在は、極低温乾性ガスシール３６から熱が奪われてゆく速度を下げ、而して、極低温乾性ガスシール３６の面同士の間の極低温ガスの再凝縮を回避させる。熱的バリア部材７０は、更に、始動時の機械冷却中の冷熱ショックを制限するうえで助けとなる。
【００２６】
タービンホイール６は、典型的には、適したアルミニウム合金（即ち、アルミニウムを主材とする合金）から鋳造されているが、同様に、チタン又はチタン合金で作られていてもよく、腐食のリスクがある場合又はタービンが高トルク伝達又は高レベルフラッシュで作動することになる場合には特にそうである。
【００２７】
タービンホイール６は、ヒルトカップリングによってシャフト８へ接続されていてもよい。シャフト８自体は、マイナス１９６℃の様な遅い温度に持ち堪えるように適合されているマルテンサイト系ステンレス鋼で形成することができよう。軸受担持体２６やシール担持体ユニット４６及びハウジング７４の様な他の構成要素は、必要な工学的強度を有し且つ使用中に晒される温度範囲に持ち堪えることのできる材料で作ることができよう。これらの構成要素の製造には、ステンレス鋼又はチタンが典型的な選択肢である。
【００２８】
熱的バリア部材７０は、典型的には、特に低い熱伝導度（例えば、ほぼ０．５Ｗ／ｍ／℃程度）の材料、例えば適した機械特性及び熱特性を有するエポキシラミネート、で形成されている。代わりの材料は、低熱伝導度黒鉛含浸樹脂を含む。
【００２９】
本発明による極低温液体膨張タービンは、単一膨張段を採用することができ、多くの理由で既知の複数段膨張部に勝って有利である。第１に、軸受からの熱及び他の摩擦損失はプロセス流体へ受け渡されない。この熱源の排除により、タービンからの排出温度は低くなり、概して改善された性能がもたらされる。第２に、タービンホイールは、固定又は既定の速さで回転させることができる。第３に、入口案内羽根は、合理的に高い効率を維持しつつ膨張タービンに亘る流れの広い変動を許容するように、当技術でよく知られた方式に構成することができる。第４に、膨張タービンは、多数の高い作動信頼度の標準的構成要素を採用することができる。第５に、タービンホイールは、異なった膨張比の広い範囲を扱うことができる。第６に、単一段の極低温タービンは、根本的に、複数段のものより作動効率が良く、というのも、単一段では機械を通る流路が短い結果として機能的損失が少ないからである。
【００３０】
本発明による極低温液体膨張タービンは、更に、ジュールトムソン弁に比べ、前者からは仕事を回収でき後者からは容易に回収できないという点において、また極低温液体膨張タービンは所与の入り口温度についてより低い出口温度を実現するはずであるという点において、利点を有する。
【００３１】
例えば天然ガス液化プラントで、所望される場合には、本発明による極低温液体膨張タービンをジュールトムソン弁と並列に動作させるようにしてもよく、そうすれば結果的に、増加したプロセス効率を手に入れることが可能になるし、タービンが発電機へ連結されている場合の電力回収が加増することとなろう。
【００３２】
典型的な作動では、極低温液体は、広い範囲、例えば１０バールから８０バールの範囲から選択された圧力下に供給されよう。出口圧力は、入口圧力に依存して、１バールから１０バールになろう。これらの範囲は典型であり、拡張され得る。
【符号の説明】
【００３３】
２  入口フランジ
４  出口フランジ
６  タービンホイール
８  回転シャフト
１０  連結部
１２  半径方向入口
１４  タービンの前方回転面
１６  囲い板
１８  拡散部
２１  ガスシールが配置されている領域
２３  オイル軸受が配置されている領域
２４  オイル注入部通路
２６  軸受担持体
２８  ハウジング
３０  タンデム型乾性ガスシール
３３、４８、５０、６０  通路
３２、３４  静止リング
３６、３８  乾性ガスシール
４０、４２  回転リング
４６  シール担持体ユニット
５２  ラビリンスシール
５４  ガスシール
５６、５８  カーボンリング
７０  半径方向熱的バリア部材
７２  ボルト
７４  ハウジング
７６  室
７８  内部通路
８０  スリーブ
８２  ラビリンスシール
３００  ブレード
３０２  溝
【図１】
2014530984.tif 000003
【図２】
2014530984.tif 000004
【図３】
2014530984.tif 000005
【手続補正書】
【提出日】平成26年8月14日(2014.8.14)
【手続補正１】
【補正対象書類名】明細書
【補正対象項目名】００１５
【補正方法】変更
【補正の内容】
【００１５】
【図１】本発明によるフラッシュ式極低温液体膨張タービンの部分断面概略側面図である。
【図２】図１に示されているタービンの封止部配列のより詳細な図である。
【図３】図１及び図２に示されているタービンのタービンホイールの概略斜視図である。
【図４】図１中、参照番号２３で示される領域の近傍の拡大図である。
【手続補正２】
【補正対象書類名】図面
【補正対象項目名】全図
【補正方法】変更
【補正の内容】
【図１】
2014530984.tif 000006
【図２】
2014530984.tif 000007
【図３】
2014530984.tif 000008
【図４】
2014530984.tif 000009
【国際調査報告】
2014530984.tif 000010
2014530984.tif 000011
2014530984.tif 000012